(57)【要約】【課題】本発明は、織物タイプの入力装置に関する。本発明に係る織物タイプの入力装置は、導電材料でパターニングされた織物を用いて形成されるので、異物感を最小減に抑えることができる。【解決手段】本発明に係る織物タイプの入力装置は、織物と、前記織物上に導電材料がパターニングされたリードパターンと、をそれぞれ含む、第１の織物タイプの電極、及び、第２の織物タイプの電極が、互いに対向するように設けられた織物タイプの電極部と、前記第１の織物タイプの電極と、前記第２の織物タイプの電極が、互いに離隔するように、前記第１の織物タイプの電極と、前記第２の織物タイプの電極との間に配され、かつ、離隔された前記第１の織物タイプの電極と前記第２の織物タイプの電極とを互いに接触させる接続孔が形成されている織物タイプの基板部と、前記織物タイプの電極部に入力信号を送ると共に、前記送られた入力信号を感知する制御部と、を有していることを特徴とする。【選択図】図１
2009266197.tif 000002
【特許請求の範囲】
【請求項１】
織物と、前記織物上に導電材料がパターニングされたリードパターンと、をそれぞれ含む、第１の織物タイプの電極、及び、第２の織物タイプの電極が、互いに対向するように設けられた織物タイプの電極部と、
前記第１の織物タイプの電極と、前記第２の織物タイプの電極が、互いに離隔するように、前記第１の織物タイプの電極と、前記第２の織物タイプの電極との間に配され、かつ、離隔された前記第１の織物タイプの電極と前記第２の織物タイプの電極とを互いに接触させる接続孔が形成されている織物タイプの基板部と、
前記織物タイプの電極部に入力信号を送ると共に、前記送られた入力信号を感知する制御部と、
を有していることを特徴とする織物タイプの入力装置。
【請求項２】
前記導電材料が、銀、ポリマー、ナイロン、または、サイクロヘキサノンを含むことを特徴とする請求項１に記載の織物タイプの入力装置。
【請求項３】
前記制御部が、前記第１の織物タイプの電極に接続されて、前記入力信号を送る信号供給部と、前記第２の織物タイプの電極に接続されて、前記送られた入力信号を感知する信号感知部と、を含むことを特徴とする請求項１に記載の織物タイプの入力装置。
【請求項４】
前記織物タイプの入力装置が、前記制御部と前記織物タイプの電極部間に前記入力信号を伝達する信号伝達部を含み、
前記信号伝達部が、前記第１の織物タイプの電極と前記信号供給部との間をつなぐ第１の接続線と、前記第２の織物タイプの電極と前記信号感知部との間をつなぐ第２の接続線と、を含み、そして、
前記第１の接続線、及び、前記第２の接続線が、導電性繊維を含む
ことを特徴とする請求項３に記載の織物タイプの入力装置。
【請求項５】
前記制御部が、前記織物タイプの電極部に外部から圧力が加えられた場合に、前記第１の織物タイプの電極、及び、前記第２の織物タイプの電極のそれぞれのリードパターンが前記接続孔を通じて互いに接続されることによって、前記織物タイプの電極部に送られた入力信号を感知するものであることを特徴とする請求項１に記載の織物タイプの入力装置。
【請求項６】
織物と、前記織物上に導電材料がパターニングされたリードパターンと、をそれぞれ含む、第１の織物タイプの電極、及び、第２の織物タイプの電極が、互いに対向するように設けられた織物タイプの電極部と、
前記第１の織物タイプの電極と、前記第２の織物タイプの電極間の離隔距離を提供し、かつ、前記離隔距離が弾性的に変えられるように設けた弾性部と、
前記織物タイプの電極部の静電容量における変化を感知する感知部と、
を有していることを特徴とする織物タイプの入力装置。
【請求項７】
前記織物タイプの入力装置が、前記織物タイプの電極部と前記感知部との間をつなぐ接続部を含み、
前記接続部が、前記第１の織物タイプの電極と前記感知部の一端との間をつなぐ第１の接続線と、前記第２の織物タイプの電極と前記感知部の他端との間をつなぐ第２の接続線と、を含み、そして、
前記第１の接続線、及び、前記第２の接続線が、導電性繊維を含む
ことを特徴とする請求項６に記載の織物タイプの入力装置。
【請求項８】
前記導電材料が、銀、ポリマー、ナイロン、または、サイクロヘキサノンを含むことを特徴とする請求項６に記載の織物タイプの入力装置。
【請求項９】
前記感知部が、前記織物タイプの電極部に外部から圧力が加えられた場合に、前記第１の織物タイプの電極と前記第２の織物タイプの電極間の離隔距離における変化に基づいた前記静電容量における変化を感知するものであることを特徴とする請求項６に記載の織物タイプの入力装置。
【請求項１０】
前記弾性部が、スポンジ、及び、織物のうち一方、または、両方を含むことを特徴とする請求項６に記載の織物タイプの入力装置。
【請求項１１】
織物と、前記織物上に導電材料がパターニングされた第１のリードパターン及び第２のリードパターンと、を含む織物タイプの電極部と、
前記織物タイプの電極部の静電容量における変化を感知する感知部と、
を有していることを特徴とする織物タイプの入力装置。
【請求項１２】
前記織物タイプの入力装置が、前記織物タイプの電極部と前記感知部との間をつなぐ接続部を含み、
前記接続部が、前記第１のリードパターンと前記感知部の一端との間をつなぐ第１の接続線と、前記第２のリードパターンと前記感知部の他端との間をつなぐ第２の接続線と、を含み、そして、
前記第１の接続線、及び、前記第２の接続線が、導電性繊維を含む
ことを特徴とする請求項１１に記載の織物タイプの入力装置。
【請求項１３】
前記導電材料が、銀、ポリマー、ナイロン、または、サイクロヘキサノンを含むことを特徴とする請求項１１に記載の織物タイプの入力装置。
【請求項１４】
前記第１のリードパターンと、前記第２のリードパターンが、インターデジタル形態でパターニングされていることを特徴とする請求項１１に記載の織物タイプの入力装置。
【請求項１５】
前記感知部が、前記織物タイプの電極部とユーザーとの接触による、前記第１のリードパターンと前記第２のリードパターン間に生じる、前記静電容量における変化を感知するものであることを特徴とする請求項１１に記載の織物タイプの入力装置。
【請求項１６】
織物と、前記織物上に導電材料がパターニングされたリードパターンとを、それぞれを含む、第１の織物タイプの電極、及び、第２の織物タイプの電極が、互いに対向するように設けられた織物タイプの電極部と、
前記第１の織物タイプの電極と、前記第２の織物タイプの電極間の離隔距離を提供し、かつ、前記離隔距離が弾性的に変えられるように設けた弾性部と、
前記織物タイプの電極部に所定の周波数、及び、強度を有する第１の信号を送ると共に、前記送られた第１の信号によって誘導される前記第２の信号の強度における変化を感知する制御部と、
を有していることを特徴とする織物タイプの入力装置。
【請求項１７】
前記制御部が、前記第１の織物タイプの電極に前記入力信号を送る信号供給部と、前記第２の織物タイプの電極に誘導される前記第２の信号の強度を感知する信号感知部と、を含むことを特徴とする請求項１６に記載の織物タイプの入力装置。
【請求項１８】
前記織物タイプの入力装置が、前記制御部と前記織物タイプの電極部間に前記第１の信号、及び、第２の信号を伝達する信号伝達部を含み、
前記信号伝達部は、前記信号供給部と前記第１の織物タイプの電極間を電気的につなぐ第１の接続線と、前記信号感知部と前記第２の織物タイプの電極と間を電気的につなぐ第２の接続線を含み、そして、
前記第１の接続線、及び、前記第２の接続線が、導電性繊維を含む
ことを特徴とする請求項１６に記載の織物タイプの入力装置。
【請求項１９】
前記導電材料が、銀、ポリマー、ナイロン、または、サイクロヘキサノンを含むことを特徴とする請求項１６に記載の織物タイプの入力装置。
【請求項２０】
前記リードパターンが、らせん状のコイルの形態でパターニングされていることを特徴とする請求項１６に記載の織物タイプの入力装置。
【請求項２１】
前記制御部が、前記第１の織物タイプの電極に前記第１の信号が送られ、かつ、前記織物タイプの電極に外部から圧力が加えられた場合に、前記第１の織物タイプの電極および第２の織物タイプの電極間の離隔距離における変化に基づいて前記第２の織物タイプの電極に誘導される前記第２の信号の強度における変化を感知するものであることを特徴とする請求項１６に記載の織物タイプの入力装置。
【発明の詳細な説明】
【技術分野】
【０００１】
本発明は、織物タイプの入力装置に関する。 
【背景技術】
【０００２】
近年、ノートパソコン、ＰＤＡ、移動通信用端末のような携帯型電子機器の使用の増大につれ、携帯可能な電子機器の入力装置として使用されるキーボードも携帯できるように製作され、また、販売されている。概して、携帯可能なキーボードは、シリコンで構成されて、使用者がそれをたたんだり、衣服に取り付けたりして携帯することができる。しかしながら、シリコンで構成された携帯可能なキーボードのような入力装置は、衣服とはまったく異なる素材で製造されるので、衣服に取り付けたり、または、挿入されたりした場合に、使用者に異物感を感じさせるという不便さを招き得る。
【０００３】
一方で、従来、薄膜トランジスターを用いた入力装置が存在していた。このような入力装置を具現するためには、織物とは異なる特性を有する更なる周辺機器が必要となる。したがって、このような入力装置が取り付けられた衣服を着用した場合、使用者は入力装置から異物感を感じられる。また、このような従来型入力装置が取り付けられた衣服を洗濯する際には、依然として入力装置と衣服を分離しなければならないという不便さが存在していた。
【発明の開示】
【発明が解決しようとする課題】
【０００４】
前記問題を解決するために、本発明は、異物感を最小限に抑えた、洗濯可能なデジタル入力装置を提供することを目的とする。
【課題を解決するための手段】
【０００５】
本願の請求項１に係る発明は、織物と、前記織物上に導電材料がパターニングされたリードパターンと、をそれぞれ含む、第１の織物タイプの電極、及び、第２の織物タイプの電極が、互いに対向するように設けられた織物タイプの電極部；前記第１の織物タイプの電極と、前記第２の織物タイプの電極が、互いに離隔するように、前記第１の織物タイプの電極と、前記第２の織物タイプの電極との間に配され、かつ、離隔された前記第１の織物タイプの電極と前記第２の織物タイプの電極とを互いに接触させる接続孔が形成されている織物タイプの基板部；及び、前記織物タイプの電極部に入力信号を送ると共に、前記送られた入力信号を感知する制御部を有していることを特徴とする織物タイプの入力装置を提供する。
【０００６】
本願の請求項２に係る発明では、請求項１に記載された織物タイプの入力装置において、前記導電材料が、銀、ポリマー、ナイロン、または、サイクロヘキサノンを含むことを特徴とする。
【０００７】
本願の請求項３に係る発明では、請求項１に係る織物タイプの入力装置において、前記制御部が、前記第１の織物タイプの電極に接続されて、前記入力信号を送る信号供給部と、前記第２の織物タイプの電極に接続されて、前記送られた入力信号を感知する信号感知部と、を含むことを特徴とする。
【０００８】
本願の請求項４に係る発明では、請求項３に係る織物タイプの入力装置において、前記織物タイプの入力装置が、前記制御部と前記織物タイプの電極部間に前記入力信号を伝達する信号伝達部を含み；前記信号伝達部が、前記第１の織物タイプの電極と前記信号供給部との間をつなぐ第１の接続線と、前記第２の織物タイプの電極と前記信号感知部との間をつなぐ第２の接続線と、を含み；そして、前記第１の接続線、及び、前記第２の接続線が、導電性繊維を含むことを特徴とする。
【０００９】
本願の請求項５に係る発明では、請求項１に係る織物タイプの入力装置において、前記制御部が、前記織物タイプの電極部に外部から圧力が加えられた場合に、前記第１の織物タイプの電極、及び、前記第２の織物タイプの電極のそれぞれのリードパターンが前記接続孔を通じて互いに接続されることによって、前記織物タイプの電極に送られた入力信号を感知するものであることを特徴とする。
【００１０】
本願の請求項６に係る発明は、織物と、前記織物上に導電材料がパターニングされたリードパターンと、をそれぞれ含む、第１の織物タイプの電極、及び、第２の織物タイプの電極が、互いに対向するように設けられた織物タイプの電極部；前記第１の織物タイプの電極と、前記第２の織物タイプの電極間の離隔距離を提供し、かつ、前記離隔距離が弾性的に変えられるように設けた弾性部；及び、前記織物タイプの電極部の静電容量における変化を感知する感知部を有していることを特徴とする織物タイプの入力装置を提供する。
【００１１】
本願の請求項７に係る発明では、請求項６に係る織物タイプの入力装置において、前記織物タイプの入力装置が、前記織物タイプの電極部と前記感知部との間をつなぐ接続部を含み；前記接続部が、前記第１の織物タイプの電極と前記感知部の一端との間をつなぐ第１の接続線と、前記第２の織物タイプの電極と前記感知部の他端との間をつなぐ第２の接続線と、を含み；そして、前記第１の接続線、及び、前記第２の接続線が、導電性繊維を含むことを特徴とする。
【００１２】
本願の請求項８に係る発明では、請求項６に係る織物タイプの入力装置において、前記導電材料が、銀、ポリマー、ナイロン、または、サイクロヘキサノンを含むことを特徴とする。
【００１３】
本願の請求項９に係る発明では、請求項６に係る織物タイプの入力装置において、前記感知部が、前記織物タイプの電極部に外部から圧力が加えられた場合に、前記第１の織物タイプの電極と前記第２の織物タイプの電極間の離隔距離における変化に基づいた前記静電容量における変化を感知するものであることを特徴とする。
【００１４】
本願の請求項１０に係る発明では、請求項６に係る織物タイプの入力装置において、前記弾性部が、スポンジ、及び、織物のうち一方、または、両方を含むことを特徴とする。
【００１５】
本願の請求項１１に係る発明は、織物と、前記織物上に導電材料がパターニングされた第１のリードパターン及び第２のリードパターンと、を含む織物タイプの電極部；及び、前記織物タイプの電極部の静電容量における変化を感知する感知部を有していることを特徴とする織物タイプの入力装置を提供する。
【００１６】
本願の請求項１２に係る発明では、請求項１１に係る織物タイプの入力装置において、前記織物タイプの入力装置が、前記織物タイプの電極部と前記感知部との間をつなぐ接続部を含み；前記接続部が、前記第１のリードパターンと前記感知部の一端との間をつなぐ第１の接続線と、前記第２のリードパターンと前記感知部の他端との間をつなぐ第２の接続線と、を含み；そして、前記第１の接続線、及び、前記第２の接続線が、導電性繊維を含むことを特徴とする。
【００１７】
本願の請求項１３に係る発明では、請求項１１に係る織物タイプの入力装置において、前記導電材料が、銀、ポリマー、ナイロン、または、サイクロヘキサノンを含むことを特徴とする。
【００１８】
本願の請求項１４に係る発明では、請求項１１に係る織物タイプの入力装置において、前記第１のリードパターンと、前記第２のリードパターンが、インターデジタル形態でパターニングされていることを特徴とする。
【００１９】
本願の請求項１５に係る発明では、請求項１１に係る織物タイプの入力装置において、前記感知部が、前記織物タイプの電極部とユーザーとの接触による、前記第１のリードパターンと前記第２のリードパターン間に生じる、前記静電容量における変化を感知するものであることを特徴とする。
【００２０】
本願の請求項１６に係る発明は、織物と、前記織物上に導電材料がパターニングされたリードパターンと、それぞれを含む、第１の織物タイプの電極、及び、第２の織物タイプの電極が、互いに対向するように設けられた織物タイプの電極部；前記第１の織物タイプの電極と、前記第２の織物タイプの電極間の離隔距離を提供し、かつ、前記離隔距離が弾性的に変えられるように設けた弾性部；及び、前記織物タイプの電極部に所定の周波数、及び、強度を有する第１の信号を送ると共に、前記送られた第１の信号によって誘導される前記第２の信号の強度における変化を感知する制御部を有していることを特徴とする織物タイプの入力装置を提供する。
【００２１】
本願の請求項１７に係る発明では、請求項１６に係る織物タイプの入力装置において、前記制御部が、前記第１の織物タイプの電極に前記入力信号を送る信号供給部と、前記第２の織物タイプの電極に誘導される前記第２の信号の強度を感知する信号感知部と、を含むことを特徴とする。
本願の請求項１８に係る発明では、請求項１６に係る織物タイプの入力装置において、前記織物タイプの入力装置が、前記制御部と前記織物タイプの電極部間に前記第１の信号、及び、第２の信号を伝達する信号伝達部を含み；前記信号伝達部は、前記信号供給部と前記第１の織物タイプの電極間を電気的につなぐ第１の接続線と、前記信号感知部と前記第２の織物タイプの電極と間を電気的につなぐ第２の接続線を含み；そして、前記第１の接続線、及び、前記第２の接続線が、導電性繊維を含むことを特徴とする。
【００２２】
本願の請求項１９に係る発明では、請求項１６に係る織物タイプの入力装置において、前記導電材料が、銀、ポリマー、ナイロン、または、サイクロヘキサノンを含むことを特徴とする。
【００２３】
本願の請求項２０に係る発明では、請求項１６に係る織物タイプの入力装置において、前記リードパターンが、らせん状のコイルの形態でパターニングされていることを特徴とする。
【００２４】
本願の請求項２１に係る発明では、請求項１６に係る織物タイプの入力装置において、前記制御部が、前記第１の織物タイプの電極に前記第１の信号が送られ、かつ、前記織物タイプの電極に外部から圧力が加えられた場合に、前記第１の織物タイプの電極および第２の織物タイプの電極間の離隔距離における変化に基づいて前記第２の織物タイプの電極に誘導される前記第２の信号の強度における変化を感知するものであることを特徴とする。
【発明の効果】
【００２５】
本発明に係る織物タイプの入力装置は、導電材料でパターニングされた織物を用いて形成されるので、異物感を最小限にすることができ、さらには、衣服と分離することなく洗濯することができる。   
【発明を実施するための最良の形態】
【００２６】
以下では、添付した図面に基づいて、本発明の好ましい実施形態についてより詳しく説明する。
【００２７】
［第１の実施形態］
図１は、本発明の第１の実施形態に係る、スイッチング方式を用いた織物タイプの入力装置を示した図面である。
【００２８】
図１に基づくと、本発明の第１の実施形態に係る織物タイプの入力装置は、織物タイプの電極部（１００）と、織物タイプの基板部（１１０）と、制御部（１２０）と、を含む。
【００２９】
織物タイプの電極部（１００）は、所定の離隔距離（Ｄ１）だけ離隔し、かつ、互いに対向するように設けられた、第１の織物タイプの電極（１０１）、及び、第２の織物タイプの電極（１０３）を有する。第１の織物タイプの電極（１０１）は、織物（１０１ａ）と、その織物（１０１ａ）上に導電材料がパターニングされたリードパターン（１０１ｂ）と、を含む。第２の織物タイプの電極（１０３）は、織物（１０３ａ）と、その織物（１０３ａ）上に導電材料がパターニングされたリードパターン（１０３ｂ）と、を含む。第１の織物タイプの電極（１０１）、および、第２の織物タイプの電極（１０３）に形成されたリードパターン（１０１ｂ、１０３ｂ）は、概してマスクを通じて織物（１０１ａ，１０１ｂ）上に導電材料を蒸着または塗布することによって、形成される。そのような導電材料として、銀、ポリマー、ナイロン、または、 サイクロヘキサノンが用いられる。
【００３０】
織物タイプの基板部（１１０）は、第１の織物タイプの電極（１０１）と第２の織物タイプの電極（１０３）とが互いに離隔するように、織物タイプの電極部（１０１）と第２の織物タイプの電極（１０３）との間に配される。したがって、織物タイプの基板部（１１０）は織物タイプの電極（１０１）と第２の織物タイプの電極（１０３）との間に所定の離隔距離（Ｄ１）を提供する。織物タイプの基板部（１１０）における所定の領域には、離隔された（即ち、間隔をおいて配された）第１の織物タイプの電極（１０１）と第２の織物タイプの電極（１０３）とが互いに接触できるように上下に貫通された接続孔（１１１）が設けられている。例えば、第１の織物タイプの電極（１０１）に圧力が加えられる場合、第１の織物タイプの電極（１０１）が接続孔（１１１）を通じて第２の織物タイプの電極（１０３）と接触するようになる。第１の織物タイプの電極（１０１）と第２の織物タイプの電極（１０３）が接触した場合、各々のリードパターン（１０１ｂ、１０３ｂ）もまた互いに接触するようになり、その結果、電気的につながる。また、第１の織物タイプの電極（１０１）に加えられる圧力が除かれた場合、第１の織物タイプの電極（１０１）、および、第２の織物タイプの電極（１０３）が有している織物の弾力性によって、接触されていた各リードパターン（１０１ｂ、１０３ｂ）は互いに離れるようになる。
【００３１】
制御部（１２０）は第１の織物タイプの電極（１０１）のリードパターン（１０１ｂ）と接続された信号供給部（１２１）、および、第２の織物タイプの電極（１０３）のリードパタン（１０３ｂ）と接続された信号感知部（１２３）を含む。信号供給部（１２１）は、第１の織物タイプの電極（１０１）に電流のような入力信号を送る。信号感知部（１２３）は、第１の織物タイプの電極（１０１）に送られた入力信号を第２の織物タイプの電極（１０３）から感知する役割を果たす。したがって、各々のリードパターン（１０１ｂ、１０３ｂ）が織物タイプの基板部（１１０）の接続孔（１１１）を通じて互いに接続された場合、信号供給部（１２１）から送られた入力信号は信号感知部（１２３）により感知される。それにより、織物タイプの入力装置は、信号感知部（１２３）で入力信号を感知することによって、ユーザーの入力を受け入れる。
【００３２】
信号伝達部（１３１，１３３）は、織物タイプの電極部（１００）と制御部（１２０）との間を電気的につなげて、入力信号を伝達する。信号伝達部（１３１，１３３）は、第１の織物タイプの電極（１０１）と信号供給部（１２１）との間をつなぐ第１の接続線（１３１）、及び、第２の織物タイプの電極（１０３）と信号感知部（１２３）との間をつなぐ第２の接続線（１３３）を含む。第１の接続線（１３１）、及び、第２の接続線（１３３）は、導電繊維を含んでも良い。 第１の接続線（１３１）、及び、第２の接続線（１３３）は、各々のリードパターン（１０１ｂ、１０３ｂ）に縫い付けられて、織物タイプの電極部（１００）に電気的に接続される。
【００３３】
［第２の実施形態］
図２は、本発明の２の実施形態に係る静電容量変化感知方式を用いた織物タイプの入力装置を表したものである。
【００３４】
図２に基づくと、本発明の第２の実施形態に係る織物タイプの入力装置は、織物タイプの電極部（２００）と、弾性部（２１０）と、感知部（２２０）と、を含む。
【００３５】
織物タイプの電極部（２００）は、互いに対向するように設けられた第１の織物タイプの電極（２０１）、及び、第２の織物タイプの電極（２０３）を含む。第１の織物タイプの電極（２０１）は、織物（２０１ａ）と、その織物（２０１ａ）上に導電材料がパターニングされたリードパターン（２０１ｂ）と、を含む。第２の織物タイプの電極（２０３）は、織物（２０３ａ）と、その織物（２０３ａ）上に導電材料がパターニングされたリードパターン（２０３ｂ）と、を含む。第１の織物タイプの電極（２０１）、及び、第２の織物タイプの電極（２０３）は、二つのリードパターン（２０１ｂ、２０３ｂ）を電極層とするコンデンサをなす。第１の織物タイプの電極（２０１）、および、第２の織物タイプの電極（２０３）にそれぞれ形成されたリードパターン（２０１ｂ、２０３ｂ）は、概してマスクを通じて織物（２０１ａ，２０１ｂ）上に導電材料を蒸着または塗布することによって、形成される。そのような導電材料として、銀、ポリマー、ナイロン、または、 サイクロヘキサノンが用いられる。
【００３６】
弾性部（２１０）は、第１の織物タイプの電極（２０１）と第２の織物タイプの電極（２０３）との間に配される。したがって、弾性部（２１０）は第１の織物タイプの電極（２０１）と第２の織物タイプの電極（２０３）との間に離隔距離（Ｄ２）を提供する。弾性部（２１０）はスポンジまたは織物を含ませて形成されたものであるから、弾力性を有する。よって、弾性部（２１０）は第１の織物タイプの電極（２０１）と第２の織物タイプの電極（２０３）間の離隔距離（Ｄ２）を弾性的に変えることができる。例えば、第１の織物タイプの電極（２０１）に圧力が加えられた場合、第１の織物タイプの電極（２０１）と第２の織物タイプの電極（２０３）間の離隔距離（Ｄ２）が短くなる。第１の織物タイプの電極（２０１）に加えられた圧力が除去されると、離隔距離（Ｄ２）はもとの状態に戻る。したがって、第２の実施形態に係る織物タイプの入力装置は、第１の織物タイプの電極（２０１）および第２の織物タイプの電極（２０３）がそれぞれ有する織物（２０１ａ，２０３ａ）の弾力性と、弾性部（２１０）が有する弾性とを用いてスイッチング動作を行うことができる。
【００３７】
感知部（２２０）は、第１の織物タイプの電極（２０１）のリードパターン（２０１ｂ）と第２の織物タイプの電極（２０３）のリードパターン（２０３ｂ）とにそれぞれ接続されて、第１の織物タイプの電極（２０１）と第２の織物タイプの電極（２０３）間の離隔距離における変化に沿ったリードパターン（２０１ｂ、２０３ｂ）の静電容量における変化を感知する。言い換えるならば、第１の織物タイプの電極（２０１）と第２の織物タイプの電極（２０３）間の離隔距離（Ｄ２）が変われば、各リードパターン（２０１ｂ、２０３ｂ）の静電容量が変わるが、それを感知部（２２０）が感知することになる。したがって、第２の実施形態に係る織物タイプの入力装置は第１の織物タイプの電極（２０１）と第２の織物タイプの電極（２０３）間の静電容量における変化を感知することで、ユーザーの入力を受け入れる。
【００３８】
また、織物タイプの入力装置は、織物タイプの電極部（２００）と感知部（２２０）との間を電気的につなぐ接続部（２３１，２３３）を含む。接続部（２３１，２３３）は、第１の織物タイプの電極（２０１）と感知部（２２０）の一端との間をつなぐ第１の接続線（２３１）、及び、第２の織物タイプの電極（２０３）と感知部（２２０）の他端との間をつなぐ第２の接続線（２３３）を含む。接続部（２３１，２３３）は、第１の織物タイプの電極（２０１）および第２の織物タイプの電極（２０３）から生じる静電容量における変化に関する信号を感知部（２２０）に送る。第１の接続線（２３１）と第２の接続線（２３３）は導電繊維を含んで、織物タイプの電極部（２００）と感知部（２２０）とを互いに電気的につなぐ。また、第１の接続線（２３１）および第２の接続線（２３３）は各々のリードパターン（２０１ｂ、２０３ｂ）に縫い付けられて、織物タイプの電極部（２００）に電気的につかがる。
【００３９】
［第３の実施形態］
図３は本発明の第３の実施形態に係る静電容量変化感知方式を用いた織物タイプの入力装置を示したものである。
【００４０】
図３に基づくと、本発明の第３の実施形態に係る織物タイプの入力装置は織物タイプの電極部（３００）と、感知部（３１０）と、を含む。
【００４１】
織物タイプの電極部（３００）は、織物（３０１）と、その織物（３０１）上に導電材料がパターニングされた、第１のリードパターン（３０３）及び第２のリードパターン（３０５）と、を含む。第１のリードパターン（３０３）、および、第２のリードパターン（３０５）は、図３に示したように、インターデジタル（interdigital）形態で形成され得る。インターデジタル形態とは、第１のリードパターンの一方向に延在する導電材料の延長部と、第２のリードパターンの前記一方向と反対方向に延在する導電材料の延長部とが、前記一方向と直交する方向において、互い違いに配列されている形態をいう。第１のリードパターン（３０３）および第２のリードパターン（３０５）は、概してマスクを通じて織物（３０１）上に導電材料を蒸着または塗布することによって、形成される。そのような導電材料として、銀、ポリマー、ナイロン、または、 サイクロヘキサノンが用いられる。織物タイプの電極部（３００）にユーザーの指などが触れた場合、第１のリードパターン（３０３）と第２のリードパターン（３０５）間の静電容量が変わる。
【００４２】
感知部（３１０）は、織物タイプの電極部（３００）における第１のリードパターン（３０３）と第２のリードパターン（３０５）との間に接続されて、織物タイプの電極部（３００）で生じる静電容量における変化を感知する。したがって、織物タイプの入力装置は織物タイプの電極部（３００）で生じる静電容量における変化を感知することで、ユーザーの入力を受け入れる。
【００４３】
また、織物タイプの入力装置は、織物タイプの電極部（３００）と感知部（３１０）との間を電気的につなぐ接続部（３２１、３２３）を含む。接続部（３２１，３２３）は第１のリードパターン（３０３）と感知部（３１０）の一端との間をつなぐ第１の接続線（３２１）、及び、第２のリードパターン（３０５）と感知部（３１０）の他端との間をつなぐ第２の接続線（３２３）を含む。接続線（３２１、３２３）は、織物タイプの電極部（３００）から生じる静電容量における変化に関する信号を感知部（３１０）に送る。第１の接続線（３２１）および第２の接続線（３２３）は導電性繊維を含む。さらに、第１の接続線（３２１）および第２の接続線（３２３）は第１のリードパターン（３０３）及び第２のリードパターン（３０５）にそれぞれ縫い付けられて、織物タイプの電極部（３００）に電気的につながれる。
【００４４】
［第４の実施形態］
図４は、本発明の第４の実施形態に係る相互誘導インダクタンス変化感知方式を用いた織物タイプの入力装置を示したものである。
【００４５】
図４に基づくと、本発明の第４の実施形態に係る織物タイプの入力装置は、織物タイプの電極部（４００）と、弾性部（４１０）と、制御部（４２０）と、を含む。
【００４６】
織物タイプの電極部（４００）は、互いに対向するように形成された第１の織物タイプの電極（４０１）と、第２の織物タイプの電極（４０３）と、を含む。第１の織物タイプの電極（４０１）は、織物（４０１ａ）と、その織物（４０１ａ）上に導電材料がパターニングされたリードパターン（４０１ｂ）と、を含む。第２の織物タイプの電極（４０３）は、織物（４０３ａ）と、その織物（４０３ａ）上に導電材料がパターニングされたリードパターン（４０３ｂ）と、を含む。第１の織物タイプの電極（４０１）、および、第２の織物タイプの電極（４０３）にそれぞれ形成されたリードパターン（４０１ｂ）、および、リードパターン（４０３ｂ）は、概してマスクを通じて織物（４０１ａ）、及び、織物（４０１ｂ）上にそれぞれ導電材料を蒸着、又は、塗布することによって形成される。そのような導電材料として、銀、ポリマー、ナイロン、または、 サイクロヘキサノンが用いられる。
【００４７】
弾性部（４１０）は、第１の織物タイプの電極（４０１）と第２の織物タイプの電極（４０３）とが互いに間隔するように、第１の織物タイプの電極（４０１）と第２の織物タイプの電極（４０３）との間に配される。したがって、弾性部（４１０）は、第１の織物タイプの電極（４０１）と第２の織物タイプの電極（４０３）との間に離隔距離（Ｄ３）を提供する。弾性部（４１０）はスポンジまたは織物などを含ませて形成されたものであるから、弾力性を有し得る。よって、弾性部（４１０）は、第１の織物タイプの電極（４０１）と第２の織物タイプの電極（４０３）間の離隔距離（Ｄ３）を弾性的に変えることができる。たとえば、第１の織物タイプの電極（４０１）に圧力が加えられた場合、各々のリードパターン（４０１ｂ、４０３ｂ）間の離隔距離（Ｄ３）が短くなる。そして、第１の織物タイプの電極（４０１）に加えられた圧力が除去されると、各々のリードパターン（４０１ｂ、４０３ｂ）間の離隔距離（Ｄ３）はもとの状態に戻る。したがって、この実施形態に係る織物タイプの入力装置は第１の織物タイプの電極（４０１）および第２の織物タイプの電極（４０３）がそれぞれ有する織物（４０１ａ，４０３ａ）の弾力性と、弾性部（４１０）が有する弾力性とに基づいて離隔距離（Ｄ３）が変わり、それにより、スイッチング動作が可能となる。
【００４８】
制御部（４２０）は、第１の織物タイプの電極（４０１）のリードパターン（４０１ｂ）と接続された信号供給部（４２１）と、第２の織物タイプの電極（４０３）のリードパターン（４０３ｂ）と接続された信号感知部（４２３）と、を含む。信号供給部（４２１）は、第１の織物タイプの電極（４０１）のほうに所定の周波数、及び、強度を有する第１の信号を送る。信号感知部（４２３）は、第１の信号によって第２の織物タイプの電極（４０３）に誘導される第２の信号における強度の変化を感知する役割をする。例えば、信号供給部（４２１）から第１の織物タイプの電極（４０１）の方に第１の信号が供給され、そして、第１の織物タイプの電極（４０１）に外部からの圧力が加えられた場合、第１の織物タイプの電極（４０１）と第２の織物タイプの電極（４０３）間の離隔距離（Ｄ３）が変わる。離隔距離（Ｄ３）の変化によってリードパターン（４０１ｂ、４０３ｂ）間の相互誘導インダクタンスの値が変わる。そのとき、第２の織物タイプの電極（４０３）のリードパターン（４０３ｂ）には、離隔距離（Ｄ３）における変化によって、第２の信号が誘導される。したがって、信号感知部（４２３）は第２の織物タイプの電極（４０３）のリードパターン（４０３ｂ）に誘導される第２の信号の強度における変化を感知することによって、ユーザーからの入力を受け入れる。
【００４９】
この実施形態に係る織物タイプの入力装置は、織物タイプの電極部（４００）と制御部（４２０）との間を電気的につなぐ信号伝達部（４３１、４３３）を含む。信号伝達部（４３１，４３３）は、第１の織物タイプの電極（４０１）のリードパターン（４０１ｂ）と信号供給部（４２１）との間をつなぐ第１の接続線（４３１）、及び、第２の織物タイプの電極（４０３）のリードパターン（４０３ｂ）と信号感知部（４２３）との間をつなぐ第２の接続線（４３３）を含む。信号伝達部（４３１，４３３）は、信号供給部（４２１）から供給される第１の信号を第１の織物タイプの電極（４０１）に送り、そして、第２の織物タイプの電極（４０３）から誘導される第２の信号を制御部（４２０）に送る。第１の接続線（４３１）及び第２の接続線（４３３）は導電性繊維を含み、織物タイプの電極部（４００）と制御部（４２０）との間を電気的につなぐ。また、第１の接続線（４３１）、及び、第２の接続線（４３３）は、各々のリードパターン（４０１ｂ、４０３ｂ）に縫い付けられ、それにより、織物タイプの電極部（４００）に電気的につながれる。
【００５０】
図５は、本発明の第１ないし第４の実施形態に係る織物タイプの入力装置のアレイを示したものである。
【００５１】
図５に示すように、織物タイプの入力装置（５１０）は、複数の接続線（５３０）に接続されたアレイ（５００）で形成され得る。複数の接続線（５３０）は、コントローラーに接続されて、織物タイプの入力装置（５１０）の入力のための信号を伝達することができる。また、アレイ（５００）で形成された織物タイプの入力装置（５１０）上にはキーパッド（５２０）が設けられて、ユーザーがキーを押した場合に、それに沿った入力を区別することができるようになっている。
【００５２】
本発明に係る織物タイプの入力装置は、導電材料でパターニングされた織物、及び、電気的接続のための導電性繊維を用いて形成されるので、異物感を最小減に抑えることができる。また、衣服と分離することなく、洗濯することができる。
【図面の簡単な説明】
【００５３】
【図１】図１は、本発明の第１の実施形態に係る、スイッチング方式を用いた織物タイプの入力装置を示すものである。
【図２】図２は、本発明の２の実施形態に係る静電容量変化感知方式を用いた織物タイプの入力装置を表したものである。
【図３】図３は本発明の第３の実施形態に係る静電容量変化感知方式を用いた織物タイプの入力装置を示したものである。
【図４】図４は、本発明の第４の実施形態に係る相互誘導インダクタンス変化感知方式を用いた織物タイプの入力装置を示したものである。
【図５】図５は、本発明の第１ないし第４の実施形態に係る織物タイプの入力装置のアレイ（衣服に装着されたもの）を示したものである。
【符号の説明】
【００５４】
１００、２００、３００、４００：織物タイプの電極部
１１０：織物タイプの基板部
２１０，４１０：弾性部
１２０，４２０：制御部
２２０，３２０：感知部
【図１】
2009266197.tif 000003
【図２】
2009266197.tif 000004
【図３】
2009266197.tif 000005
【図４】
2009266197.tif 000006
【図５】
2009266197.tif 000007